(57)【特許請求の範囲】
【請求項１】
記録用紙の搬送路に沿って設けられ、開口を有する第１の用紙ガイドと、
前記第１の用紙ガイドと接触または間隙をおいて対向するように配置され、弾性部材によって前記第１の用紙ガイドに対して後退可能に支持された第２の用紙ガイドと、
前記第１の用紙ガイドおよび第２の用紙ガイドが設けられた位置の上流側及び下流側に設けられ、記録用紙を挾み込んで回転駆動される搬送ローラ対と、
前記第１の用紙ガイドの開口を通して、搬送される記録用紙に光を照射し、反射光を検出する光センサとを有し、
前記搬送ローラ対は、回転駆動される駆動ローラと、この駆動ローラに圧接された従動ローラとを有し、
前記第１の用紙ガイドの下流側に設けられた第２の搬送ローラ対の駆動ローラは、上流側に設けられた第１の搬送ローラ対の駆動ローラより回転速度が大きく設定され、
前記第２の搬送ローラ対の従動ローラは、前記第１の搬送ローラ対の従動ローラより、駆動ローラに対する圧接力が小さく設定されていることを特徴とする画像検知装置。
【請求項２】
記録用紙の搬送路に沿って設けられ、開口を有する第１の用紙ガイドと、
前記第１の用紙ガイドと接触または間隙をおいて対向するように配置され、弾性部材によって前記第１の用紙ガイドに対して後退可能に支持された第２の用紙ガイドと、
前記第１の用紙ガイドおよび第２の用紙ガイドが設けられた位置の上流側及び下流側に設けられ、記録用紙を挾み込んで回転駆動される搬送ローラ対と、
前記第１の用紙ガイドの開口を通して、搬送される記録用紙に光を照射し、反射光を検出する光センサとを有し、
前記搬送ローラ対は、回転駆動される駆動ローラと、この駆動ローラに圧接された従動ローラとを有し、
前記第１の用紙ガイドの下流側に設けられた第２の搬送ローラ対の駆動ローラは、上流側に設けられた第１の搬送ローラ対の駆動ローラより回転速度が大きく設定され、
該第２の搬送ローラ対の駆動ローラは、前記第１の搬送ローラ対の駆動ローラより、表面の摩擦係数が小さく設定されていることを特徴とする画像検知装置。
【請求項３】
前記第１の用紙ガイドと前記第２の用紙ガイドとの間隙は、  前記第１の用紙ガイドに接触している記録用紙上の画像を検出するように設定された前記光センサの検知精度が、使用されるもっとも薄い記録用紙が前記第２の用紙ガイドに接触しているときに、許容範囲になるように設定されていることを特徴とする請求項１又は請求項２に記載の画像検知装置。
【発明の詳細な説明】
【０００１】
【発明の属する技術分野】
本発明は、カラー複写機、プリンタ等の画像形成装置において用いられ、プリント後の記録用紙表面の画像状態、例えば画像の色調、画像濃度などを検知する画像検知装置に関する。
【０００２】
【従来の技術】
従来より、電子写真法を応用した複写機、プリンタ等の画像形成装置では、像担持体上に静電潜像を形成し、これにトナーを転移して可視像とした後、このトナー像を記録用紙等に転写して定着するように構成されている。
【０００３】
また、カラー複写機、プリンタ等の多色画像形成装置においては、例えば像担持体の周囲にイエロー、マゼンタ、シアン、ブラックのトナーを収容する４台の現像装置を配置し、像担持体上に単色のトナー像を形成し、このトナー像を搬送ドラム上に吸着された記録用紙上に転写する工程を４色分繰り返し、記録用紙上にトナー像の重ね合わせを行うものが知られている。このほか、像担持体上に形成されたトナー像を順次中間転写体上に転写して、４色のトナー像の重ね合わせを行い、１回の転写工程で記録用紙上に転写するもの等も採用されている。
【０００４】
このような画像形成装置では、記録用紙の搬送路に近接・対向する位置に、プリント後の画像状態（例えば、画像の色調、用紙の種類、画像濃度など）を検知する光センサが設けられている。この光センサからプリント後の記録用紙表面に光を照射し、その反射光を検出することにより、記録用紙上に形成された画像状態を検知する。そして、検知された画像情報を書き込み部へフィードバックすることにより、良好なカラー画像を形成するように構成されている。
【０００５】
【発明が解決しようとする課題】
しかしながら、上記のような光センサを用いた画像検知装置では、以下に示すような問題点がある。
上記光センサで記録用紙上の画像状態を検知する場合、検知位置にて用紙のあおりや波打ちが発生すると、正確な検知情報が得られず、原稿とは異なる画像が形成されてしまう。例えば、画像濃度を正確に検知できない場合は、形成された画像の各色の濃度バランスが悪くなり、原稿とは程遠い画像になってしまう。
【０００６】
一方、記録媒体のあおりを防止する技術に関しては、例えば、特開平４−１０１９４５号公報に記載の記録媒体搬送装置が提案されている。この装置は、上記のような記録用紙上の画像状態を検知するものではないが、感光材料からなる記録媒体を搬送し、その表面に光ビームを照射して写真潜像を形成するものである。
【０００７】
この装置は、図５に示すように、１本の駆動ローラ１０１と１本の従動ローラ１０２との間に記録媒体１０６を挟持して搬送するものであり、駆動ローラと従動ローラとの間の用紙搬送面に沿って、これらのローラと所定の間隔を隔てて搬送方向上流側と下流側とに配置される搬送ガイド１０３，１０４を備えている。さらに、搬送方向下流側の搬送ガイド１０４のガイド面近傍に、該ガイド面と所定の距離（ここでは０．５〜２ｍｍ）を隔てて周面が位置する用紙のあおり防止ローラ１０５を備えている。
【０００８】
この装置は、駆動ローラ１０１と従動ローラ１０２とで記録媒体１０６を挟持して搬送し、従動ローラ１０２とあおり防止ローラ１０５との間で搬送ガイド１０４上を搬送される記録媒体１０６に光ビームを照射するものである。そして、あおり防止ローラ１０５は記録媒体の先端が当たらず、あおられた記録媒体が当たることによって記録媒体のあおりを阻止する。
【０００９】
従って、このような記録媒体搬送装置を用いて記録用紙を搬送し、従動ローラ１０２とあおり防止ローラ１０５との間で光センサにより光を照射し、記録用紙表面の画像状態を検知することも考えられる。しかし、かかる搬送装置では、厚さが異なる記録用紙を搬送する際に、記録用紙の表面をあおり防止ローラ１０５に安定して接触させることはできず、特に剛性の小さい記録用紙を搬送するときには、たるみなどの発生を完全に防止することはできない。
【００１０】
以上のように、プリント後の画像状態を検知する際には、検知精度を上げるために、光センサの検知可能な距離範囲をできるだけ小さくすることが要求される。しかし、光センサで検知される記録用紙には様々な種類があり、厚さや剛性の異なる記録用紙が搬送される場合に、記録用紙にあおりやたるみが発生し、表面の画像状態を正確に安定して検知することは難しい。
【００１１】
本発明は上記のような問題点に鑑みてなされたものであり、その目的は、厚さや剛性の異なる記録用紙を搬送する場合でも、記録用紙のあおりや波打ちを抑え、検知部での用紙表面位置を安定化させることができる画像検知装置を提供することである。
【００１２】
【課題を解決するための手段】
上記問題を解決するために、請求項１に記載の発明は、  記録用紙の搬送路に沿って設けられ、開口を有する第１の用紙ガイドと、  前記第１の用紙ガイドと接触または間隙をおいて対向するように配置され、弾性部材によって前記第１の用紙ガイドに対して後退可能に支持された第２の用紙ガイドと、  前記第１の用紙ガイドおよび第２の用紙ガイドが設けられた位置の上流側及び下流側に設けられ、記録用紙を挾み込んで回転駆動される搬送ローラ対と、  前記第１の用紙ガイドの開口を通して、搬送される記録用紙に光を照射し、反射光を検出する光センサとを有し、  前記搬送ローラ対は、回転駆動される駆動ローラと、この駆動ローラに圧接された従動ローラとを有し、 前記第１の用紙ガイドの下流側に設けられた第２の搬送ローラ対の駆動ローラは、上流側に設けられた第１の搬送ローラ対の駆動ローラより回転速度が大きく設定され、  前記第２の搬送ローラ対の従動ローラは、前記第１の搬送ローラ対の従動ローラより、駆動ローラに対する圧接力が小さく設定されていることを特徴とする画像検知装置を提供するものである。
【００１３】
このような画像検知装置では、第１の用紙ガイドと第２の用紙ガイドとが接触又は間隙をおいて配置されており、この間隙より厚い記録用紙が通過するときは、第２の用紙ガイドが第１の用紙ガイドに対して後退し、記録用紙は弾性部材により第１の用紙ガイドに押圧された状態で、搬送ローラ対の回転により搬送される。また、第１の用紙ガイドと第２の用紙ガイドとの間隙より薄い記録用紙が通過するときは、第２の用紙ガイドは動かず、記録用紙は両用紙ガイドの狭い間隙内を、搬送ローラ対の回転により搬送される。このため、記録用紙の厚さや剛性が異なる場合でも、記録用紙のあおりや波打ちを抑えることが可能となり、光センサとの対向部で用紙表面位置を安定化させることができる。
【００１４】
また、第２の用紙ガイドを後退可能とすることにより、上記間隙より厚い記録用紙を搬送するときに、２つの用紙ガイドの間に挟まれて用紙が詰ったり、記録用紙の反りなどによる用紙ガイド突入時の衝撃や、部品組み立て寸法による誤差を吸収することができる。従って、上記間隙より薄い記録用紙を搬送するときは勿論のこと、厚い記録用紙を搬送するときでも、弾性部材の押圧力を調整することによって、記録用紙の搬送時の負荷を低減することができる。
【００１５】
さらに、第１の用紙ガイドの下流側に設けられた第２の搬送ローラ対の駆動ローラは、上流側に設けられた第１の搬送ローラ対の駆動ローラより回転速度が大きく設定されているので、記録用紙は第１の用紙ガイドと第２の用紙ガイドとの間隙を通過するときに第２の搬送ローラ対により引っ張られ、記録用紙の波打ちやたるみが防止される。また、第２の搬送ローラ対の従動ローラは、第１の搬送ローラ対の従動ローラより、駆動ローラに対する圧接力が小さく設定されているので、２つの搬送ローラ対の間で記録用紙の搬送速度が異なっても、第２の搬送ローラ対の駆動ローラとの接触部で記録用紙が滑り、第１の搬送ローラ対の駆動力によって記録用紙をスムーズに搬送することができる。また、従動ローラは主にゴムなどで形成されるが、このローラの圧接力を小さくすることにより、記録用紙にスリップ跡を残さないようにすることができる。
また、第１の搬送ローラ対の従動ローラは押し付け力が大きく設定されているため、用紙搬送時の推進力が大きくなり、記録用紙は第１と第２の用紙ガイド間に安定して送り込まれる。
【００１６】
請求項２に記載の発明は、  記録用紙の搬送路に沿って設けられ、開口を有する第１の用紙ガイドと、  前記第１の用紙ガイドと接触または間隙をおいて対向するように配置され、弾性部材によって前記第１の用紙ガイドに対して後退可能に支持された第２の用紙ガイドと、  前記第１の用紙ガイドおよび第２の用紙ガイドが設けられた位置の上流側及び下流側に設けられ、記録用紙を挾み込んで回転駆動される搬送ローラ対と、  前記第１の用紙ガイドの開口を通して、搬送される記録用紙に光を照射し、反射光を検出する光センサとを有し、  前記搬送ローラ対は、回転駆動される駆動ローラと、この駆動ローラに圧接された従動ローラとを有し、 前記第１の用紙ガイドの下流側に設けられた第２の搬送ローラ対の駆動ローラは、上流側に設けられた第１の搬送ローラ対の駆動ローラより回転速度が大きく設定され、  該第２の搬送ローラ対の駆動ローラは、前記第１の搬送ローラ対の駆動ローラより、表面の摩擦係数が小さく設定されていることを特徴とする画像検知装置を提供するものである。
【００１７】
このような画像検知装置では、第２の搬送ローラ対の駆動ローラは、前記第１の搬送ローラ対の駆動ローラより、表面の摩擦係数が小さく設定されているので、駆動ローラと記録用紙との間の摩擦抵抗が低減され、記録用紙が駆動ローラとの間でスムーズにスリップする。このため、２つの搬送ローラ対の間で記録用紙をスムーズに搬送し、たるみや波打ちなどの発生を防止することができる。また、駆動ローラ表面の摩擦係数を小さくすることにより、記録用紙表面に形成された画像に傷がつくのを防止することができる。
【００１８】
請求項３に記載の発明は、請求項１又は請求項２に記載の画像検知装置において、  前記第１の用紙ガイドと前記第２の用紙ガイドとの間隙は、  前記第１の用紙ガイドに接触している記録用紙上の画像を検出するように設定された前記光センサの検知精度が、使用されるもっとも薄い記録用紙が前記第２の用紙ガイドに接触しているときに、許容範囲になるように設定されているものとする。
【００１９】
このような画像検知装置では、第１の用紙ガイドと前記第２の用紙ガイドとの間隙より厚い記録用紙を搬送する場合のみならず、上記間隙より薄い記録用紙を搬送する場合でも、記録用紙表面の位置を、光センサの検知精度が許容範囲内となるように押え込むことができる。このため、搬送するすべての記録用紙の表面位置を安定させるとともに、記録用紙上の画像の検知精度を上げることができる。
【００２０】
【発明の実施の形態】
以下、本願に係る発明の実施の形態を図に基づいて説明する。
図１は、本願発明の一実施形態である画像検知装置が用いられる画像形成装置を示す概略構成図である。
この画像形成装置は、一様帯電後に像光を照射することによって表面に静電潜像が形成される像担持体１と、この像担持体の周囲に、像担持体の表面を一様に帯電する帯電器２と、一様帯電された像担持体１に像光を照射して静電潜像を形成する光走査装置３と、それぞれ、イエロー、マゼンタ、シアン、ブラックの現像剤を収容した４台の現像装置からなるロータリー式の現像ユニット４と、上記像担持体１と接触し、複数のロールによって周回可能に張架された無端ベルト状の中間転写体５と、上記像担持体１上に形成されたトナー像を上記中間転写体５へ転写する一次転写ローラ６と、転写後に像担持体１上に残留したトナーを清掃するクリーニング装置７とを有している。さらに装置内には、中間転写体５との対向位置に順次搬送されてくる記録用紙１１に中間転写体５上のトナー像を転写する二次転写ローラ８と、記録用紙１１上に転写されたトナー像を定着する定着装置９と、記録用紙１１の表面の画像状態を検知する、本実施形態の画像検知装置１０とを有している。
【００２１】
この装置の上部には、コピースタートボタン、テンキー、表示部等を有するＵＩ（ユーザーインターフェース）と、原稿を載置する透明なプラテンガラス１２とを有し、プラテンガラス１２の下側には、原稿を照明しながら走査する原稿照明ユニット１３と、この原稿照明ユニット１３の移動速度の１／２の速度で移動するミラーユニット１４とが配置されている。そして、原稿照明ユニット１３から射出され原稿で反射した原稿画像光を、ミラーユニット１４で反射させ、結像レンズ１５およびＣＣＤ（カラー画像読み取りセンサー）に導くようになっている。原稿画像光は、ＣＣＤにより赤色（Ｒ）、緑色（Ｇ）又は青色（Ｂ）のアナログ信号として読み取られ、ＩＰＳ（画像処理装置）に入力される。
【００２２】
ＩＰＳは、データ変換手段１７、画像データ処理手段１８および画像メモリ１９を備えており、ＣＣＤで得られる上記アナログ信号をデジタル信号に変換し、さらに黒（Ｋ）、イエロー（Ｙ）、マゼンタ（Ｍ）及びシアン（Ｃ）の画像データに変換して濃度補正あるいは拡大縮小補正等のデータ処理を施し、書き込み用画像データ（レーザー駆動データ）として出力する。また、画像メモリ１９では、画像データ処理手段１８の画像データを一時的に記憶する。
【００２３】
ＩＰＳから出力された４色の書き込み用画像データ（レーザー駆動データ）は、レーザー駆動信号出力装置１６に入力される。上記レーザー駆動信号出力装置１６は、黒、イエロー、マゼンタ、シアンの各色成分の画像をレーザー駆動信号として所定のタイミングで光走査装置（ＲＯＳ）３に出力する。
【００２４】
上記現像ユニット４は、回転軸４ａが回転することによって、４台の現像装置Ｄｙ，Ｄｍ，Ｄｃ，Ｄｋが順次像担持体１と対向する現像領域に移動し、各色のトナー像を形成するものである。
【００２５】
上記中間転写体５は、駆動ローラ２６、アイドラーローラ２７、第１テンションローラ２８、バックアップローラ２９および第２テンションローラ３０によって張架されており、駆動ローラ２６が回転駆動されることによって、像担持体１とほぼ同一速度で矢印Ａの方向へ周回駆動されるものである。また、上記二次転写ローラ８は、バックアップローラ２９と中間転写体５を介して対向する位置に設けられており、二次転写ローラ８にバイアス電圧が印加されることによって、中間転写体５上のトナー像が記録用紙１１に転写されるようになっている。また、中間転写体５の表面に残留する未転写トナー像を除去するクリーニング装置３２が設けられ、このクリーニング装置３２と二次転写ローラ８とは、中間転写体５に対して圧接、離間可能に構成されている。中間転写体５１には像担持体１上のトナー像が順次転写され、４色のトナー像の重ね合わせが行われるようになっている。
【００２６】
また、二次転写ローラ８の下流側には、用紙ガイド３３、搬送ベルト３４が設けられており、トナー像が転写された記録用紙１１を搬送し、定着装置９に送り込む。そして、定着装置９によりトナー像が定着された記録用紙は画像検知装置１０に搬送され、その後排紙トレイ３５に送り出されるようになっている。
【００２７】
上記画像検知装置１０は、図２に示すように、記録用紙１１の搬送路に沿って設けられた第１の用紙ガイド４１と、この第１の用紙ガイドとほぼ一定の間隔をおいて対向するように配置され、バネ部材４３によって第１の用紙ガイドに対して後退可能に支持される第２の用紙ガイド４２とを有している。上記第１の用紙ガイド４１は、図３（ｂ）に示すように４つの開口部４１ａを有しており、この開口部４１ａを通して記録用紙表面の画像状態を検知する光センサ４４が対向配置されている。また、第１の用紙ガイド４１の用紙搬送方向上流側には、回転駆動される駆動ローラ４５ａとこれに圧接される従動ローラ４５ｂとからなる第１の搬送ローラ対４５が設けられ、この従動ローラ４５ｂの周囲に第２の用紙ガイド４２と隣り合う第１の案内ガイド４７が配設されている。また第１の用紙ガイド４１の下流側には、駆動ローラ４６ａとこれに圧接される従動ローラ４６ｂとからなる第２の搬送ローラ対４６が設けられ、この従動ローラ４６ｂの周囲に第２の用紙ガイド４２と隣り合う第２の案内ガイド４８が配設されている。上記第１の案内ガイド４７と第２の案内ガイド４８とは板状部材５１により一体化されている。
【００２８】
上記第２の用紙ガイド４２は、用紙搬送方向の上流側に設けられた支持部４９によって第１の案内ガイド４７と連結され、この支持部４９を支点として下流側がバネ部材４３により変位可能な構造となっている。この第２の用紙ガイド４２は、変位規制部材５０によって変位可能な範囲が設定されており、第２の用紙ガイド４２上を搬送される記録用紙上の画像の位置を、光センサ４４による検知精度が許容範囲となるようにおさえている。
【００２９】
上記第１の用紙ガイド４１と第２の用紙ガイド４２との間隔は、使用される記録用紙１１の最大厚さと最小厚さの中間に設定されており、この間隔より厚い記録用紙１１が通過するときに、支持部４９を支点として第２の用紙ガイド４２が第１の用紙ガイド４１に対して後退し、記録用紙が第１の用紙ガイドに押圧されたまま搬送されるようなバネ部材４３の押圧力に設定されている。
【００３０】
上記第２の搬送ローラ対４６の駆動ローラ４６ａは、第１の搬送ローラ対４５の駆動ローラ４５ａより回転速度が大きく設定されている。また、上記第１の搬送ローラ対４５の従動ローラ４５ｂと第２の搬送ローラ対４６の従動ローラ４６ｂとは、図３（ａ）に示すように、用紙搬送方向と直角の方向から僅かに傾斜して配置されている。これらの従動ローラは、それぞれ駆動ローラに対して左右方向に±５°調整可能である。また、第２の搬送ローラ対の従動ローラ４６ｂは、第１の搬送ローラ対の従動ローラ４５ｂより、駆動ローラに対する圧接力が小さく設定されている。
【００３１】
上記光センサ４４は、搬送される記録用紙１１に開口部４１ａを通して光を照射し、反射光を検出するものである。そして、４つの開口部４１ａから記録用紙に定着された黒（Ｋ）、イエロー（Ｙ）、マゼンタ（Ｍ）及びシアン（Ｃ）の各色の画像状態を検知し、その情報をＩＰＳ（画像処理装置）にフィードバックするようになっている。
また、第１の用紙ガイド４１及び第２の用紙ガイド４２は、表面に低摩擦の材料がコーティングされており、記録用紙のスムーズな搬送を可能とするとともに画像に傷が付くのを防止している。
【００３２】
このような画像検知装置では、定着装置９を通過した記録用紙は第１の搬送ローラ対４５の回転により搬送され、第１の用紙ガイド４１と第２の用紙ガイド４２との間隙に送り込まれる。図４（ａ）に示すように、上記間隙より薄い記録用紙１１ａが通過するときは、記録用紙は２つの用紙ガイド４１，４２の狭い間隙内を搬送され、第２の搬送ローラ対４６の回転により送り出される。また、図４（ｂ）に示すように、上記間隙より厚い記録用紙１１ｂが通過するときは、第２の用紙ガイド４２が第１の用紙ガイド４１に対して後退し、バネ部材４３により記録用紙１１ｂは第１の用紙ガイド４１に押圧された状態で搬送される。そして、記録用紙が２つの用紙ガイド４１，４２の間を通過するときに光センサ４４により表面の画像状態が検知される。
【００３３】
このとき、第２の搬送ローラ対の駆動ローラ４６ａは、第１の搬送ローラ対の駆動ローラ４５ａより回転速度が大きく設定されているため、記録用紙が２つの用紙ガイド間を通過するときに、第２の搬送ローラ対４６により引っ張られ、記録用紙に波打ちやたるみが発生するのが防止される。また、従動ローラ４５ｂ，４６ｂが、それぞれ駆動ローラに対して左右方向に調整可能に配置されているので、記録用紙の搬送時及び検知位置で記録用紙に張りを持たせ、波打ちなどの発生を防止することもできる。さらに、第２の搬送ローラ対の従動ローラ４６ｂは、第１の搬送ローラ対の従動ローラ４５ｂより、駆動ローラ４６ａに対する圧接力が小さく設定されているため、駆動ローラ４６ａとの間で記録用紙が滑りやすくなり、第１の搬送ローラ対の駆動力によって記録用紙をスムーズに搬送することができる。従って、光センサ４４による検知部で、記録用紙の表面位置を安定化させることができる。その際、２つの用紙ガイド間の距離は、変位規制部材５０によって光センサ４４の検知精度を許容範囲内に抑えるように設定されているので、上記間隙より薄い記録用紙を搬送する場合でも、表面の画像状態を正確に検知することができる。このため、原稿に忠実な画像を再現することができる。
また、第２の搬送ローラ対の従動ローラ４６ｂの、駆動ローラ４６ａに対する圧接力を小さく設定することにより、記録用紙にスリップ跡などが残るのを防止できる。
【００３４】
さらに、上記画像検知装置では、第１のガイド部材４１と第２のガイド部材４２との間隔より厚い記録用紙が搬送された場合や、記録用紙の反りなどで第１のガイド部材４１への突入時に衝撃をもたらす場合などに、第２のガイド部材４２がバネ部材４３により後退することで、これらの衝撃を吸収することが可能となる。また、部品の組み立て寸法に誤差がある場合にも、これらを吸収することができる。
【００３５】
次に、請求項２又は請求項３に記載の発明の一実施形態である画像検知装置について説明する。
この画像検知装置では、図１に示す画像検知装置とほぼ同様の構成であるが、２つの駆動ローラの表面の材料を変えることによって、第２の搬送ローラ対の駆動ローラ表面の摩擦係数が、第１の搬送ローラ対の駆動ローラ表面の摩擦係数より小さくなるように設定されている。また、第２の搬送ローラ対の駆動ローラは、第１の搬送ローラ対の駆動ローラより回転速度が大きく設定されており、第１および第２の搬送ローラ対の従動ローラは、駆動ローラに対する圧接力がほぼ同じに設定されている。
【００３６】
このような画像検知装置では、第２の搬送ローラ対の駆動ローラと記録用紙との間の摩擦抵抗が低減され、記録用紙が滑りやすくなる。このため、２つの搬送ローラ対の間で、記録用紙をスムーズに搬送し、記録用紙のたるみや波打ちなどの発生を防止することができる。さらに、第２の搬送ローラ対の駆動ロールにより記録用紙表面の画像を傷つけることもない。
【００３７】
【発明の効果】
以上説明したように、本願に係る発明の画像検知装置では、厚さや剛性の異なる様々な記録用紙を搬送する場合でも、検知位置でこれらの記録用紙の表面位置を安定化させることができる。このため、検知センサにより記録用紙上の画像状態の正確な情報を得ることが可能となり、良好なカラー画像を安定して作成することができる。
【図面の簡単な説明】
【図１】  請求項１、請求項２又は請求項３に記載の発明の一実施形態である画像検知装置が用いられる画像形成装置を示す概略構成図である。
【図２】  請求項１、請求項２又は請求項３に記載の発明の一実施形態である画像検知装置を示す概略断面図である。
【図３】  図２に示すＡ−Ａ線及びＢ−Ｂ線における矢視図である。
【図４】  上記画像検知装置における記録用紙の搬送状態を示す図である。
【図５】  従来の記録媒体搬送装置の一例を示す概略構成図である。
【符号の説明】
１：像担持体
２：帯電装置
３：光走査装置
４：現像ユニット
５：中間転写体
６：一次転写ローラ
７：クリーニング装置
８：二次転写ローラ
９：定着装置
１０：画像検知装置
１１：記録用紙
１２：プラテンガラス
１３：原稿照明ユニット
１４：ミラーユニット
１５：結像レンズ
１６：レーザー駆動信号出力装置
１７：データ変換手段
１８：画像データ処理手段
１９：画像メモリ
２６：駆動ローラ
２７：アイドラーローラ
２８：第１テンションローラ
２９：バックアップローラ
３０：第２テンションローラ
３２：クリーニング装置
３３：用紙ガイド
３４：搬送ベルト
３５：排紙トレイ
４１：第１の用紙ガイド
４２：第２の用紙ガイド
４３：バネ部材
４４：光センサ
４５：第１の搬送ローラ対
４６：第２の搬送ローラ対
４７：第１の案内ガイド
４８：第２の案内ガイド
４９：支持部
５０：変位規制部材
【図１】
0003763224.tif 000002
【図２】
0003763224.tif 000003
【図３】
0003763224.tif 000004
【図４】
0003763224.tif 000005
【図５】
0003763224.tif 000006